(57)【要約】【課題】組み立て易く、召合せ部の高い気密性を備えた安価な建具を提供する。【解決手段】両端部を斜めに切断した４本の框の端部同士を互いに突き合わせて矩形状に接合した框体を有し、前記４本の框のうちの一の框を召合せ框とする障子が、枠体に沿ってスライド自在に設けられた建具であって、前記框体には前記障子がスライドする際に前記枠体と摺動する摺動部材が、前記召合せ框と当該召合せ框と隣接する框との接合部に取り付けられており、前記召合せ框は、前記障子を閉じた際に他の部材と対向する召合せ面に、長手方向に沿って一体に設けられた気密片、または、長手方向に沿って一体に設けられた溝部に取り付けられた気密部材を有し、前記摺動部材には、前記召合せ框に設けられた前記気密片または前記気密部材と前記長手方向に連続するように気密片または気密部材が設けられている。【選択図】図５
2010077710.tif 000002
【特許請求の範囲】
【請求項１】
両端部を斜めに切断した４本の框の端部同士を互いに突き合わせて矩形状に接合した框体を有し、前記４本の框のうちの一の框を召合せ框とする障子が、枠体に沿ってスライド自在に設けられた建具であって、
前記框体には前記障子がスライドする際に前記枠体と摺動する摺動部材が、前記召合せ框と当該召合せ框と隣接する框との接合部に取り付けられており、
前記召合せ框は、前記障子を閉じた際に他の部材と対向する召合せ面に、長手方向に沿って一体に設けられた気密片、または、長手方向に沿って一体に設けられた溝部に取り付けられた気密部材を有し、
前記摺動部材には、前記召合せ框に設けられた前記気密片または前記気密部材と前記長手方向に連続するように気密片または気密部材が設けられていることを特徴とする建具。
【請求項２】
請求項１に記載の建具であって、
前記召合せ面の前記気密片または前記気密部材の前記摺動部材側の端は、前記摺動部材の前記気密片または前記気密部材の前記召合せ框側の端より前記摺動部材側に位置していることを特徴とする建具。
【請求項３】
請求項１または請求項２に記載の建具であって、
前記摺動部材は、前記召合せ框と当該召合せ框と隣接する框との接合部に形成される開口を塞ぐことを特徴とする建具。
【請求項４】
請求項１乃至請求項３のいずれかに記載の建具であって、
前記摺動部材には、前記障子が前記枠体から外れることを防止するための外れ防止部材が設けられていることを特徴とする建具。
【発明の詳細な説明】
【技術分野】
【０００１】
本発明は、框の端部同士を互いに突き合わせて矩形状に接合した框体を有する障子が枠体に沿ってスライド自在に設けられた建具に関する。
【背景技術】
【０００２】
従来、同一の断面形をなす上框、下框、戸先框、召合せ框の各端部を４５度に切断して方形状に連結した框本体を備えた障子が面内方向に移動自在に窓枠に装着された引き違い窓が知られている（例えば、特許文献１参照）。このような引き違い窓では、内障子と外障子との間の気密を確保するために、召合せ框とは別部材にて形成され、互いに対向する召合せ框のうちの一方に当接されるヒレ状の召合せシール材が他方の召合せ框に取り付けられている。
【特許文献１】特許第３１３８８５８号明細書
【発明の開示】
【発明が解決しようとする課題】
【０００３】
しかしながら、内障子と外障子との間の気密を確保するためのヒレ状の召合せシール材が、召合せ框とは別部材にて形成されていると、組み立てや在庫管理等が煩雑になるとともに部材点数が増えることによりコストが高騰する虞があるという課題がある。また、召合せシール材が召合せ框と別部材なので、部品精度や組み立て誤差等により十分な気密性が得られない虞がある。
【０００４】
本発明は、かかる課題に鑑みてなされたものであり、その目的とするところは、組み立て易く、召合せ部の高い気密性を備えた安価な建具を提供することにある。
【課題を解決するための手段】
【０００５】
かかる目的を達成するために本発明の建具は、両端部を斜めに切断した４本の框の端部同士を互いに突き合わせて矩形状に接合した框体を有し、前記４本の框のうちの一の框を召合せ框とする障子が、枠体に沿ってスライド自在に設けられた建具であって、前記框体には前記障子がスライドする際に前記枠体と摺動する摺動部材が、前記召合せ框と当該召合せ框と隣接する框との接合部に取り付けられており、前記召合せ框は、前記障子を閉じた際に他の部材と対向する召合せ面に、長手方向に沿って一体に設けられた気密片、または、長手方向に沿って一体に設けられた溝部に取り付けられた気密部材を有し、前記摺動部材には、前記召合せ框に設けられた前記気密片または前記気密部材と前記長手方向に連続するように気密片または気密部材が設けられていることを特徴とする建具である。
【０００６】
このような建具によれば、障子を閉じた際には、召合せ框に設けられた気密片または気密部材と、摺動部材の気密片と気密部材とを長手方向に連続されて設けることができるので、召合せ部の高い気密性を備えることが可能である。また、両端部を斜めに切断した４本の框の端部同士を互いに突き合わせて矩形状に接合した框体では、召合せ框に設けられた気密片または気密部材だけでは、障子の端部まで気密性を備えることは難しいが、摺動部材に気密片または気密部材を備えて、召合せ框側の気密片または気密部材と連続させることにより、容易に高い気密性を備えることが可能である。このとき、召合せ框の気密片または気密部材と連続するように配置される気密片または気密部材は、障子がスライドする際に枠体と摺動する摺動部材に設けられているので、摺動部材を取り付けるだけで、召合せ部の気密性を備えることが可能である。このため障子の組み立てが容易であるとともに、部品点数を減らして安価な建具を実現することが可能である。
【０００７】
かかる建具であって、前記召合せ面の前記気密片または前記気密部材の前記摺動部材側の端は、前記摺動部材の前記気密片または前記気密部材の前記召合せ框側の端より前記摺動部材側に位置していることが望ましい。  
このような建具によれば、召合せ面の気密片または気密部材と、摺動部材の気密片または気密部材とが、長手方向と交差する方向において重複するので、召合せ框と摺動部材との境界部においても高い気密性を備えることが可能である。
【０００８】
かかる建具であって、前記摺動部材は、前記召合せ框と当該召合せ框と隣接する框との接合部に形成される開口を塞ぐことが望ましい。  
このような建具によれば、召合せ框と当該召合せ框と隣接する框との接合部にたとえ開口が形成されたとしても摺動部材により塞がれるので、召合せ框や隣接する框の端部を覆う、所謂端部キャップ等を備えることなく、框内部への水分や外気の進入を防止することが可能である。
【０００９】
かかる建具であって、前記摺動部材には、前記障子が前記枠体から外れることを防止するための外れ防止部材が設けられていることが望ましい。  
このような建具によれば、摺動部材に外れ防止部材が設けられているので、摺動部材を取り付けるだけで、障子が枠体から外れることを防止する機能を備えることが可能である。
【発明の効果】
【００１０】
本発明によれば、組み立て易く、召合せ部の高い気密性を備えた安価な建具を提供することが可能である。
【発明を実施するための最良の形態】
【００１１】
以下、本発明の一実施形態に係る建具について図面を参照して説明する。
【００１２】
本実施形態の建具１は、図１、図２に示すような、見付け方向に沿ってレール１１ａ、１２ａを備えた枠体としての窓枠１０に、内障子２０と外障子２５とがレール１１ａ、１２ａに沿ってスライド可能に設けられた引き違い窓用の建具１である。
【００１３】
この建具１は、同一の断面形状をなす樹脂製の成形部材でなる上框２１、２６、下框２２、２７、戸先框２３、２８と、これらと断面形状が一部異なる樹脂製の成形部材でなる召合せ框２４、２９の各端部を４５度に切断して矩形状に接合した框体３０を備えた内障子２０と外障子２５とが見付け方向に移動自在に窓枠１０に装着されている。
【００１４】
上框２１、２６、下框２２、２７、戸先框２３、２８は、図１、図２に示すように、框体３０の外周側となる部位に窓枠１０側に向かって開放された溝部３０ａを有し、溝部３０ａ内の開放端側には、相対向する面に互いに対向する側に向かって突出するように毛状の気密部材３８が取り付けられている。
【００１５】
窓枠１０の内周側には、窓枠１０にて形成されている空間側に向かって突出する突出部１０ａが、全周に渡って繋がって設けられている。上枠１１及び下枠１２に設けられた突出部１０ａは、内障子２０及び外障子２５のレール１１ａ、１２ａをなし、左右の縦枠１３に設けられた突出部１０ａは、障子２０、２５を閉めた際に、内障子２０及び外障子２５の戸先框２３、２８と係合する係合部１３ａとなる。このため、全周に渡って設けられた突出部１０ａは、見込み方向に間隔を隔てて、内障子用と外障子用として設けられている。
【００１６】
そして、窓枠１０に内障子２０と外障子２５とが装着された際には、内障子２０と外障子２５との上框２１、２６及び下框２２、２７の溝部３０ａに窓枠１０のレール１１ａ、１２ａが収容され、障子２０、２５を閉じた際には、内障子２０と外障子２５との戸先框２３、２８の溝部３０ａに縦枠１３、１４の係合部１３ａが収容される。そして、収容されたレール１１ａ、１２ａ及び係合部１３ａには、溝部３０ａに設けられた毛状の気密部材３８の先端が当接されることにより、内障子２０及び外障子２５の上框２１、２６、下框２２、２７、戸先框２３、２８と窓枠１０との間が気密となる。
【００１７】
内障子２０と外障子２５の召合せ框２４、２９は、断面が矩形状をなす中空の框本体部２４ａ、２９ａが、見込み方向に適宜な間隔を隔てるように配置されている。また、内障子２０と外障子２５の召合せ框２４、２９は、障子２０、２５を閉めた際にも露出されるため、意匠性を考慮して外周部に溝部は設けられておらず、平坦に形成されている。
【００１８】
内障子２０の召合せ框２４には、框本体部２４ａの室外側に、見付け方向のほぼ中央と繋がって上框２１、下框２２、戸先框２３の室外側の面より突出されてほぼ平行をなす室外側壁部２４ｂが一体に設けられている。また、外障子２５の召合せ框２９には、框本体部２９ａの室内側に、外周縁部と繋がって上框２６、下框２７、戸先框２８の室内側の面より室内側に突出されてほぼ平行をなす室内側壁部２９ｂが一体に設けられている。これら内障子２０の室外側壁部２４ｂと外障子２５の室内側壁部２９ｂとは、障子２０、２５を閉めた際に、室外側壁部２４ｂが室内側壁部２９ｂより室外側に位置して互いの一部が見込み方向に重なるように形成されている。
【００１９】
外障子２５の召合せ框２９には、框本体部２９ａと室内側壁部２９ｂとの室内に臨む面に、毛状の気密部材３８が取り付けられる溝部としての気密部材取付部２９ｃが召合せ框２９の長手方向に沿って召合せ框２９の全域に、一体に設けられている。
【００２０】
毛状の気密部材３８は、帯状の台座部の一方の面にほぼ垂直に植毛されてブラシ状をなしており、台座部が気密部材取付部２９ｃに収容されて取り付けられると、框本体部２９ａと室内側壁部２９ｂとの室内に臨む面２９ｄから内障子２０の召合せ框２４に向かって突出するように毛状の気密部材３８が配置される。そして、障子２０、２５を閉めた際には、外障子２５の框本体部２９ａに取り付けられた気密部材３８が内障子２０の室外側壁部２４ｂに当接し、室内側壁部２９ｂに取り付けられた気密部材３８が内障子２０の框本体部２４ａに当接される。ここで、障子２０、２５を閉じた際に、外障子２５の召合せ框２９と対向する他の部材は内障子２０であり、内障子２０と対向する召合せ面は、框本体部２９ａと室内側壁部２９ｂとの室内に臨む面２９ｄである。
【００２１】
このように、内障子２０の召合せ框２４は、外周部に溝部が設けられていない点、室外側壁部２４ｂを有する点が少なくとも上框２１、下框２２、戸先框２３と相違している。また、外障子２５の召合せ框２９は、外周部に溝部が設けられていない点、室内側壁部２９ｂを有する点、框本体部２９ａと室内側壁部２９ｂとに気密部材取付部２９ｃが設けられている点が少なくとも上框２６、下框２７、戸先框２８と相違している。
【００２２】
このような召合せ框２９と上框２６とを、互いに４５度にて切断した端部同士を突き合わせて接合しただけでは、図３において摺動部材５０が取り付けられていない状態のように、気密部材３８が框体３０の端部まで設けられず、気密性が低下する。このため、本実施形態の建具１には、外障子２５がスライドする際に窓枠１０のレール１１ａ、１２ａと摺動する摺動部材５０に、召合せ框２９に設けられた気密部材３８と長手方向に連続するように気密片５５が設けられている。本実施形態では、外障子２５に設けられた気密部材３８及び気密片５５が内障子２０に当接されて気密性を備える構成としている。
【００２３】
このため、以下では、気密部材３８及び気密片５５が設けられている外障子２５について説明するが、内障子２０に気密部材３８及び気密片５５が設けられる場合には、室内外方向が以下の説明とは逆になる。また、摺動部材は、各召合せ框２４、２９の上端部と下端部とにそれぞれ設けられているが、ここでは上端部側に設けられた摺動部材５０を例に挙げて説明する。
【００２４】
摺動部材５０は、図３に示すように、上框２６の溝部３０ａに嵌合されてレール１１ａが収容される摺動部５１と、摺動部５１の下方に設けられた外れ防止部材収容部５２と、召合せ框２９の外周部に当接される外周当接部５３と、外周当接部５３の室内側に設けられ見付け方向に延出された延出部５４と、延出部５４の室内側に突出され延出部５４より下方に延びて可撓性を有しヒレ状をなす２枚の気密片５５と、を有している。
【００２５】
摺動部５１は、上框２１の溝部３０ａの内周に沿うように断面がＵ字状をなしており、所謂倹飩方式にて外障子２５が装着されるため、摺動部５１内に収容されたレール１１ａの下面１１ｃ（図１）が摺動部５１の底面５１ａと間隔を隔てて配置されるように形成されている。
【００２６】
外周当接部５３は、摺動部５１と繋がって設けられており、摺動部５１とともに上框２６と召合せ框２９との接合部となる框体３０の角部を外側から覆っている。このため、４５度に切断された端部が突き合わされた上框２６と召合せ框２９との接合部に、框体３０の内外を連通するような開口が生じたとしても、摺動部材５０を取り付けることにより開口を覆うことが可能である。
【００２７】
外れ防止部材収容部５２は、摺動部５１の下方に繋がって形成されており、上下方向に貫通して摺動部５１内と連通する中空部を有している。中空部内には、ほぼ板状をなす外れ防止部材５６が上下方向に移動可能に設けられており、見付け方向に挿通されるビス６０にて所定の位置にて固定可能に設けられている。
【００２８】
外れ防止部材５６は、外障子２５が取り外されている状態では、ビス６０が緩められて自重により下方に位置し摺動部５１内には突出していない。そして、外障子２５を装着した後に、図４に示すように、外れ防止部材５６を上方に持ち上げてレール１１ａの下面１１ｃに近接した状態でビス止めすることにより外障子２５の上方への移動を規制し、外障子２５がレール１１ａから外れることを防止する。このような外れ防止部材５６は、下端部側の摺動部材には設けられていない。
【００２９】
延出部５４は、摺動部材５０が取り付けられると、図５に示すように、召合せ框２９に設けられた室内側壁部２９ｂの上部を覆い、室内側壁部２９ｂの召合せ面２９ｄと繋がる平面を形成するように配置され、延出部５４に設けられた気密片５５は延出部５４より下方に延びた部位が室内側壁部２９ｂの室内側に配置される。２枚の気密片５５は、薄肉状をなして見付け方向に間隔を隔てて設けられており、２枚の気密片５５間の下端側には、召合せ框２９に設けられた気密部材３８が入り込んでいる。すなわち、召合せ框２９の気密部材３８の摺動部材５０側の端（上端）は、摺動部材５０の気密片５５の召合せ框２９側の端（下端）より摺動部材５０側（上側）に位置している。
【００３０】
本実施形態の建具１によれば、外障子２５の召合せ框２９に設けられた気密部材３８と、摺動部材５０の気密片５５とが長手方向すなわち上下方向に連続しているので、障子２０、２５を閉じた際には、外障子２５の召合せ框２９の気密部材３８及び摺動部材５０の気密片５５が内障子２０の框体３０に当接して内障子２０と外障子２５との間を閉塞するので召合せ部に高い気密性を備えることが可能である。上記実施形態においては、召合せ框２９の上端部に設けられた摺動部材５０を例に挙げて説明したが、摺動部材は召合せ框２９の下端部にも設けられているので、内障子２０と外障子２５の召合せ部を框体３０の上端部から下端部の全域に渡って高い気密性を備えることが可能である。
【００３１】
このとき、両端部を斜めに切断した４本の框２６、２７、２８、２９の端部同士を互いに突き合わせて矩形状に接合した上記のような框体３０では、召合せ框２９に設けられた気密部材３８は框体３０の端部まで達していないので、召合せ框２９に設けた気密部材３８だけでは、外障子２５の端部まで気密性を備えることは難しい。ところが、上記実施形態の建具１のように摺動部材５０に気密片５５を設けて、召合せ框２９の気密部材３８と連続させることにより、より確実に気密性を備えることが可能である。
【００３２】
さらに、召合せ框２９の気密部材３８の上端３８ａは、摺動部材５０の気密片５５の下端５５ａより上方に位置しているので、召合せ框２９の気密部材３８と摺動部材５０の気密片５５とが、長手方向と交差する水平方向において重複するので、召合せ框２９と摺動部材５０との境界部においても高い気密性を備えることが可能である。
【００３３】
また、召合せ框２９の気密部材３８と連続するように配置される気密片５５は、外障子２５がスライドする際に窓枠１０のレール１１ａと摺動する摺動部材５０に設けられているので、摺動部材５０を取り付けるだけで、召合せ部の気密性を備えることが可能である。このため外障子２５の組み立てが容易であるとともに、部品点数を削減して安価な建具１を実現することが可能である。
【００３４】
また、摺動部材５０は、召合せ框２９と当該召合せ框２９と隣接する上框２６との接合部を覆うように取り付けられるので、たとえ召合せ框２９と上框２６との接合部に開口が形成されたとしても、摺動部材５０を取り付けることにより開口を塞ぐことが可能である。このため、召合せ框２９や上框２６の端部を覆うための所謂端部キャップ等を備えることなく、框内部への水分や外気の進入を防止することが可能である。
【００３５】
また、摺動部材５０には外れ防止部材５６が設けられているので、摺動部材５０を取り付けるだけで、外障子２５が窓枠１０から外れることを防止する機能を備えることが可能である。
【００３６】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００３７】
上記実施形態においては、上框２１、２６、下框２２、２７、戸先框２３、２８、召合せ框２４、２９をいずれも樹脂製としたが、これに限らず、例えばアルミニウム製であっても構わない。また、各框の両端部を４５度に切断した例について説明したが、必ずしも４５度でなくとも、突き合わせた際に所望の角度をなすように適宜な角度にて斜めに切断した形態であっても構わない。
【００３８】
上記実施形態においては、外障子２５側に気密部材３８と気密片５５とを備えた例について説明したが、内障子２０側に気密部材３８と気密片５５とが設けられていても良いし、内障子２０と外障子２５とにそれぞれ気密部材３８と気密片５５が設けられている構成であっても良い。
【００３９】
また、上記実施形態においては、召合せ框２９側に気密部材３８を設け、摺動部材５０に気密片５５を設けた例について説明したが、召合せ框に気密片を設け、摺動部材側に気密部材を設けても構わない。さらに、召合せ框側及び摺動部材にいずれも気密片を設けた形態であっても、また、いずれも気密部材を設けた形態であって構わない。召合せ框及び摺動部材にいずれも気密部材を設ける場合には、召合せ框及び摺動部材にそれぞれ溝状の気密部材取付部を上下方向に繋がるように形成し、繋がった気密部材を召合せ框と摺動部材とに掛け渡すように設けても良い。
【００４０】
上記実施形態においては気密部材として毛状の気密部材３８を例に説明したが、これに限るものではない。また、上記実施形態のような毛状の気密部材にヒレ状の気密片が一体に設けられた気密部材を用いても良い。
【００４１】
また、上記実施形態においては、障子が左右方向に移動可能な引き違い窓用の建具を例に挙げて説明したが、片引き窓や、開口枠内を移動障子が垂直方向に移動可能に設けられた上げ下げ窓であっても構わない。
【図面の簡単な説明】
【００４２】
【図１】本実施形態に係る建具の縦断面図である。
【図２】本実施形態に係る建具の平断面図である。
【図３】框体に取り付けられる摺動部材を示す斜視図である。
【図４】外れ防止部材の機能を説明するための図である。
【図５】摺動部材が取り付けられた框体を閉めず正面図である。
【符号の説明】
【００４３】
１  建具、１０  窓枠、１１  上枠、１１ａ  レール、２０  障子、２０  内障子、
２１  上框、２２  下框、２３  戸先框、２４  召合せ框、２５  外障子、
２６  上框、２７  下框、２８  戸先框、２９  召合せ框、２９ａ  框本体部、
２９ｂ  室内側壁部、２９ｄ  室内に臨む面、３０  框体、３８  気密部材、
３８ａ  上端、５０  摺動部材、５１  摺動部、５５  気密片、５５ａ  下端
【図１】
2010077710.tif 000003
【図２】
2010077710.tif 000004
【図３】
2010077710.tif 000005
【図４】
2010077710.tif 000006
【図５】
2010077710.tif 000007